(57)【要約】【課題】施工性の向上を図ることができる簡易建物を提供する。【解決手段】本発明にかかる簡易建物１は、垂木掛け７と、躯体柱９を備え、躯体柱９は上端に位置出し線８ａ、８ｂ、８ｃが設けてあり、位置出し線８ｂを垂木掛け７の左右一方の端部に合わせて躯体柱９を位置決めしてある。【選択図】図１
2018115503.tif 000002
【特許請求の範囲】
【請求項１】
垂木掛けと、躯体柱を備え、躯体柱は上端に位置出し線が設けてあり、位置出し線を垂木掛けの左右一方の端部に合わせて躯体柱を位置決めしてあることを特徴とする簡易建物。
【発明の詳細な説明】
【技術分野】
【０００１】
本発明は、簡易建物に関する。
【背景技術】
【０００２】
テラス等の簡易建物では、垂木掛けの両端部にそれぞれ躯体柱を取付けるものがある。
図１５に示すように、従来の簡易建物では、垂木掛け５１の端部に躯体柱５３を取付ける場合、予め躯体柱５３にねじ挿通孔５５を形成しておき、躯体３に墨出しした後、墨出し線５７の上に躯体柱５３を当てて、墨出し線５７を躯体柱５３のねじ挿通孔５５に一致する位置を目視して、躯体柱５３をねじ止めしていた。
【発明の概要】
【発明が解決しようとする課題】
【０００３】
しかし、従来の簡易建物では、躯体柱の取付け位置を墨出しにより位置決めをしていたので手間がかかり、施工性が悪いという問題があった。  
【０００４】
そこで、本発明は、施工性の向上を図ることができる簡易建物の提供を目的とする。  
【課題を解決するための手段】
【０００５】
請求項１に記載の発明は、垂木掛けと、躯体柱を備え、躯体柱は上端に位置出し線が設けてあり、位置出し線を垂木掛けの左右一方の端部に合わせて躯体柱を位置決めしてあることを特徴とする簡易建物である。  
【発明の効果】
【０００６】
請求項１に記載の発明によれば、躯体柱に設けた位置出し線を垂木掛けの左右一方の端部を合わせて躯体柱を位置決めすれば良いので、簡易建物の施工が容易にできる。  
【図面の簡単な説明】
【０００７】
【図１】第１実施の形態にかかる簡易建物であって、垂木掛けの一端部に躯体柱を取付ける前の状態を示す斜視図である。
【図２】第１実施の形態にかかる簡易建物であって、垂木掛けの一端部に躯体柱と垂木掛けキャップを取付けた状態を示す図であり、（ａ）は正面図、（ｂ）は（ａ）に示すＡ−Ａ断面図である。
【図３】躯体柱キャップの図であり、（ａ）は正面図、（ｂ）は平面図、（ｃ）は側面図、（ｄ）は底面図、（ｅ）は背面図である。
【図４】垂木掛けの取付け工程を示す斜視図である。
【図５】躯体柱本体に上端キャップと妻ばり保持金具を取付ける前の状態を示す図であり、躯体柱本体の背面側から見た斜視図である。
【図６】妻ばり及び下端キャップの取付け工程を示す斜視図である。
【図７】桁と妻垂木の取付け工程を示す斜視図である。
【図８】パネル押えの取付け工程を示す斜視図である。
【図９】中桟及び後付けビードの取付け工程を示す斜視図である。
【図１０】垂木掛けキャップ及び桁キャップの取付け工程を示す斜視図である。
【図１１】簡易建物の斜視図である。
【図１２】第２実施の形態であって、垂木掛けの突合せ部に躯体柱を取付ける前の状態を示す斜視図である。
【図１３】第２実施の形態であって、垂木掛けの突合せ部に躯体柱を取付けた状態を示す斜視図である。
【図１４】第２実施の形態にかかる簡易建物の図であって、（ａ）は正面図、（ｂ）は側面図である。
【図１５】従来の簡易建物であって、垂木掛けの端部に躯体柱を位置決めする工程を示す正面図である。
【発明を実施するための形態】
【０００８】
以下に、添付図面を参照して本発明の実施の形態を説明するが、まず、図１〜１１を参照して本発明の第１実施の形態について説明する。  
図１１に示すように、本発明の実施の形態にかかる簡易建物１は、躯体３に設置されるものであり、柱がないタイプのテラスである。躯体３は掃出し窓５を備える外壁である。
簡易建物１は、垂木掛け７と、躯体柱９とを備えている。垂木掛け７は、左右に長い長尺であり、掃出し窓５の上方に取付けてある。左右の躯体柱９の下部には、前方に突出する妻ばり１１が取付けてあり、左右の妻ばり１１の前端部には桁１３が架設されている。垂木掛け７と桁１３との間には、左右の妻垂木１５及び垂木１７が架け渡されており、妻垂木１５と垂木１７の間及び垂木１７、１７間には、パネル１９が取付けられている。尚、図１１において、符号２１で示すのは、雨樋である。  
【０００９】
図２に示すように、躯体柱９は垂木掛け７の左右端部において、夫々上端を当接させて位置決めされていると共に垂木掛け７に対して垂直に配置されている。  
図５及び図６に示すように、躯体柱９は、躯体柱本体９ａと、躯体柱本体９ａの上端に装着する上端キャプ９ｂと、躯体柱本体９ａの下端に装着する下端キャップ９ｃとを備えている。上端キャップ９ｂはＡＳＡ樹脂（アクリレート・スチレン・アクロナイト）等の樹脂材である。  
図３に示すように、上端キャップ９ｂには、その上端には、垂木掛け７の左右端部に位置決めする為の位置出し線８ａ、８ｂ、８ｃが形成されている。この実施の形態では、位置出し線８ａ〜８ｃは、それぞれ溝条であり、合計３本形成されている。上端キャップ９ｂは、左右の躯体柱９に共通して用いるものであり、右躯体柱９では位置出し線８ａを垂木掛け７の右端部に位置合わせ、左躯体柱９では位置出し線８ｂを垂木掛け７の左端部に位置合わせている。尚、中央の位置出し線８ｃは後述するように、２本の垂木掛け７を左右に配置する場合に用いるものであり、詳細については第２実施の形態で説明する。  
また、図２（ｂ）に示すように、上端キャップ９ｂは、垂木掛け７の下面に当接する当接部１４を有し、当接部１４の見込寸法Ｗ１が躯体柱９の見込寸法Ｗ２よりも小さくしてあり、垂木掛け７と上端キャップ９ｂとの間に、妻垂木１５を垂木掛け７にねじ止めするための作業空間Ｓを形成している。  
【００１０】
次に、簡易建物１の施工について説明する。  
（１）垂木掛けの取付け
図４に示すように、垂木掛け７にねじの取付穴をあけておき、取付穴が躯体３に設けてある間柱の位置に合うように配置し、躯体３にも取付穴をあけた後、躯体３の取付穴にシーリング材１２を注入した後、ねじ２２で垂木掛け７を固定する。水平器Ｌで水平を確認した後、垂木掛け７の全長に亘ってシーリングをする。  
（２）躯体柱と妻ばり保持金具の取付け
図５に示すように、躯体柱本体９ａの下端から妻ばり保持金具２３を装着してねじ１８で固定する。次に、躯体柱本体９ａの上端に上端キャップ９ｂを嵌め込む。  
（３）躯体柱の取付け
図１に示すように、垂木掛け７の左右端部に各々躯体柱９を取付ける。右側の躯体柱９の取付けは、躯体柱９に設けてある位置出し線８ａ〜８ｃについて、右端にある位置出し線８ｂを合わせ、左側の躯体柱９は左端にある位置出し線８ａにそれぞれ垂木掛けの端部を合わせる。その位置で躯体柱９をねじ３２で仮止めし、水平器Ｌで躯体柱９の垂直を確認する。  
仮止めしたねじ３２を外し、躯体に下穴をあけ、下穴にシーリング材１２を注入する。その後、ねじ３２及び各ねじ２４で躯体柱９を躯体３に固定する。  
【００１１】
（４）妻ばりと下端キャップの取付け
図６に示すように、妻ばり保持金具２３を内側に挿入するように妻ばり１１を装着し、妻ばり１１をねじ２０で固定した後、妻ばりキャップ２５及び下端キャップ９ｃを取付ける。  
（５）桁及び妻垂木の取付け
図７に示すように、左右の妻ばり１１、１１間に桁１３を架設し、次に垂木掛け７の各左右端部と桁１３との間に妻垂木１５を配置してねじ２６で固定する。  
（６）垂木及びパネル押えの取付け
図８に示すように、垂木掛け７と桁１３との間に、左右に所定間隔をあけて垂木１７をねじとめし、妻垂木１５と垂木１７間及び隣り合う垂木１７、１７間に、それぞれパネル１９を配置する。その後、パネル押え２７でパネル１９の左右端部を押えて、パネル押え２７をねじ２８で対応する垂木１７及び妻垂木１５に固定する。  
（７）中桟・後付けビードの取付け
図９に示すように、パネル１９の下側から中桟２９を対応する垂木１７及び妻垂木１５にねじ３０で止め、パネル１９の下側からパネル１９の縁に後付けビード３１を嵌め入れる。  
（８）キャップの取付け
図１０に示すように、垂木掛けキャップ３３及び桁キャップ３５にシーリングした後に垂木掛け７の左右端部に各々垂木掛けキャップ３３を取付け、桁１３の左右端部に各々桁キャップ３５を取付ける。  
尚、躯体柱９と妻ばり１１の結合部、躯体柱９の上端キャップ９ｂ、妻ばり１１と桁１３との結合部等の各所にもシーリングする。  
【００１２】
第１実施の形態にかかる簡易建物１の作用効果について説明する。  
図１に示すように、第１実施の形態にかかる簡易建物１によれば、垂木掛け７に対して躯体柱９を取付けるときには、躯体柱９に設けた位置出し線８ａ、８ｂを垂木掛け７の左右一方の端部に合わせて躯体柱９を位置決めすれば良いので、簡易建物の施工が容易にできる。  
【００１３】
位置出し線８ａ、８ｂは、躯体柱本体９ａに装着する上端キャップ９ｂに形成しているので、躯体柱９の上端面に容易に設けることができる。  
垂木掛け７の左右端部が載る躯体柱９の上端面に位置出し線８ａ、８ｂを設けているので、躯体柱９と垂木掛け７の左右端部との位置合わせがし易い。  
位置出し線８ａ、８ｂは、左右対称な位置に設けているので、位置出し線８ａ、８ｂを設けた躯体柱９を、垂木掛け７の左右いずれの端部にも共通して用いることができる。
図２（ｂ）及び図７に示すように、上端キャップ９ｂは、垂木掛け７の下面に当接する当接部１４の見込寸法Ｗ１が躯体柱９の見込寸法Ｗ２よりも小さくして、垂木掛け７と上端キャップ９ｂとの間にねじ２６を止める作業空間Ｓが形成されているから、垂木掛け７に妻垂木１５を固定するねじ２６が止め易い。  
【００１４】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図１４に、本発明の第２実施の形態にかかる簡易建物１を示す。この第２実施の形態では、間口寸法が第１実施の形態にかかる簡易建物の約２倍になっており、第１実施の形態で用いた垂木掛け７を２本用いて、左右に連結している。  
図１２及び図１３に示すように、第２実施の形態にかかる簡易建物１における垂木掛け７、７と躯体柱９の取付けでは、２本の垂木掛け７を左右に突き合せて連結してあり、躯体柱９及び妻ばり１１は連結した左右の垂木掛け７、７の左右端部と、中間連結部７ａとの合計３箇所に設けている。  
中間連結部７ａに取付ける躯体柱９は、３つ設けてある位置出し線８ａ、８ｂ、８ｃの内の中間に位置する位置出し線８ｃを、左右の垂木掛け７、７突合せ部に位置を合わせて固定している。  
その他の構成及び施工は上述した第１実施の形態と同様である。  
【００１５】
この第２実施の形態によれば、上述した第１実施の形態と同様の作用効果を奏すると共に、左右の垂木掛け７、７を突き合せて左右に連結した簡易建物においても、連結した垂木掛け７，７の左右に設ける躯体柱９と共通の躯体柱９を垂木掛け７、７の中間連結部７ａにも用いることができ、部品種類を少なくできる。  
また、図１４に示すように、左右の垂木掛け７、７を突き合せて連結した中間連結部７ａには、垂木１７がねじ２６で固定されるから、躯体キャップ９ｂについて、垂木掛け７との当接部１４の見込寸法Ｗ１を躯体柱９の見込寸法Ｗ２よりも小さくしたことにより（図２参照）、垂木掛け７に垂木１７を固定するねじ２６が止め易い。  
【００１６】
本発明は、上述した実施の形態に限らず、本発明の要旨を逸脱しない範囲で種々変形可能である。  
例えば、簡易建物１は、柱なしテラスに限らず、柱付きテラスであっても良いし、サンルーム等であってもよい。  
躯体柱９に形成する位置出し線８ａ〜８ｃは、３つ設けることに限らず、位置出し線８ａ〜８ｃのいずれか１つのみ設けるものであっても良いし、中間の位置出し線８ｃを除いて２つの位置出し線８ａ、８ｂを設けるものであっても良い。  
また、位置出し線８ａ〜８ｃは、躯体柱本体９ａの上端部に装着する上端キャプ９ｂに形成したが、これに限らず、躯体柱本体９ａの上端部の側面に形成するものであっても良い。  
各位置出し線８ａ〜８ｃは、溝条に形成することに限らず、線を描いたり、矢印を付するものであっても良い。  
【符号の説明】
【００１７】
１    簡易建物
３    躯体
７    垂木掛け
９    躯体柱
８ａ〜８ｃ  位置出し線
【図１】
2018115503.tif 000003
【図２】
2018115503.tif 000004
【図３】
2018115503.tif 000005
【図４】
2018115503.tif 000006
【図５】
2018115503.tif 000007
【図６】
2018115503.tif 000008
【図７】
2018115503.tif 000009
【図８】
2018115503.tif 000010
【図９】
2018115503.tif 000011
【図１０】
2018115503.tif 000012
【図１１】
2018115503.tif 000013
【図１２】
2018115503.tif 000014
【図１３】
2018115503.tif 000015
【図１４】
2018115503.tif 000016
【図１５】
2018115503.tif 000017